(57)【要約】      （修正有）【課題】ヒップアップ効果によって体型を矯正しながら、長時間着用しても蒸れやかぶれを抑止できるガードルを提供する。【解決手段】伸縮回復性のある編地から構成されたガードルにおいて、少なくとも股下に相当する部分に開口部を有している。【選択図】図１
0003119057.tif 000002
【実用新案登録請求の範囲】
【請求項１】
伸縮回復性のある編地から構成されたガードルにおいて、少なくとも股下に相当する部分に開口部を有していることを特徴とするガードル。
【請求項２】
伸縮回復性のある編地上に、該編地より更に伸縮回復性の高い編地からなるストレッチ帯を股下から臀部下部を通して螺旋状に貼付し、ヒップアップ効果を高めたことを特徴とする請求項第１項記載のガードル。
【請求項３】
前記開口部は、恥丘に相当する部分から股下に相当する部分にかけて連続して開口していることを特徴とする請求項第１項又は請求項第２項記載のガードル。
【請求項４】
前記開口部は、臀部に相当する部分から股下に相当する部分にかけて連続して開口していることを特徴とする請求項第１項又は請求項第２項記載のガードル。
【請求項５】
前記開口部は、恥丘に相当する部分から股下に相当する部分、及び臀部に相当する部分かけて連続して開口していることを特徴とする請求項第１項又は請求項第２項記載のガードル。
【請求項６】
前記編地より更に伸縮回復性の高い編地からなるストレッチ帯は、前記開口部の開口縁に沿って貼付してあることを特徴とする請求項第２項ないし第５項記載のガードル。
【請求項７】
編地より更に伸縮回復性の高い編地からなるストレッチ帯を、下腹部に相当する部分に横方向に貼付してあることを特徴とする請求項第１項ないし第６項記載のガードル。
【請求項８】
編地より更に伸縮回復性の高い編地からなるストレッチ帯を、臀部側方に相当する部分に縦方向に貼付してあることを特徴とする請求項第１項ないし第６項記載のガードル。
【請求項９】
前記ストレッチ帯の幅は、３〜６ｃｍとしたことを特徴とする請求項２ないし８に記載のガードル。
【考案の詳細な説明】
【技術分野】
【０００１】  本考案は、ヒップアップ効果によって体型を矯正しながら、長時間着用しても蒸れやかぶれを抑止できる衛生的なガードルに関する。
【背景技術】
【０００２】  従来より、女性のヒップ部をアップさせて体型を美しく整えるためのガードルが使用されている。【０００３】  ガードルに要求される機能は、下腹部、脇部、ヒップ部に沈着した脂肪を緊締して体型を補整し、体型を矯正することにあるため、全体が強靭な伸縮性のある布地で構成されている。
【考案が解決しようとする課題】
【０００４】  現状のガードルは、上記の構成により通気性が悪く長時間の使用により女性性器に関する特有の病気発生の要因となっていた。特に、蒸れの影響によって外陰部や膣内にかぶれを起こしたり、カンジタ菌を増殖させる恐れがある。
【０００５】  これらの欠点を解消し、女性性器部分の蒸れを抑制するために、当該部分のみを通気性の良い生地にすることも考えられるが、用便の度に、窮屈なガードル本体を脱いだり再着用しなければならず、非常に面倒であった。
【０００６】  本考案は、上記諸課題を解決するために、ヒップアップ効果等による体型を矯正しながら長時間着用しても、女性性器特有の病気の発生を抑制し、かつ用便の度に脱いだり再着用しなくても済む使用良好なガードルを提供することを目的とするものである。
【課題を解決するための手段】
【０００７】  本考案は上記課題を解決するために、伸縮回復性のある編地から構成されたガードルにおいて、少なくとも股下に相当する部分に開口部を有していることを特徴としている。
【０００８】  さらに、伸縮回復性のある編地上に、該編地より更に伸縮回復性の高いストレッチ帯を股下から臀部下部を通して螺旋状に貼付し、ヒップアップ効果を高めたことを特徴としている。
【０００９】  さらに、前記開口部は、恥丘に相当する部分から股下に相当する部分にかけて連続して開口していることを特徴としている。
【００１０】  さらに、前記開口部は、臀部に相当する部分から股下に相当する部分にかけて連続して開口していることを特徴としている。
【００１１】  さらに、前記開口部は、恥丘に相当する部分から股下に相当する部分、及び臀部に相当する部分かけて連続して開口していることを特徴としている。
【００１２】  さらに、前記編地より更に伸縮回復性の高いストレッチ帯は、前記開口部の開口縁に沿って貼付してあることを特徴としている。
【００１３】  さらに、編地より更に伸縮回復性の高いストレッチ帯を、下腹部に相当する部分に横方向に貼付してあることを特徴としている。
【００１４】  さらに、編地より更に伸縮回復性の高いストレッチ帯を、臀部側方に相当する部分に縦方向に貼付してあることを特徴としている。
【作用】
【００１５】  本考案は上記のように構成したので、ガードル本来の機能を有しながら、女性性器特有の病気の発生を抑制し、かつ用便の度の脱着に不便がない。
【実施例】
【００１６】  以下、本考案の実施例に関し、図面に基づいて説明する。ガードル１は、伸縮回復性のある基本となる編地から構成され、少なくとも股下に相当する部分に開口部２を有している。【００１７】  前記開口部２は、少なくとも股下に相当する部分に設けることで、女性性器部分の蒸れを抑制し、外陰部や膣内のかぶれやカンジタ菌の増殖を防止することができる。【００１８】  さらに本実施例では、ヒップアップ効果を高めるために、基本となる編地よりも更に伸縮回復力の高い編地からなるストレッチ帯３を、ガードル１の股下に相当する部分から臀部下部に相当する部分を通して螺旋状に貼付してある。前記ストレッチ帯の幅は、３〜６ｃｍ程度が好ましい。【００１９】  また前記ストレッチ帯３は、前記開口部の開口縁に沿って貼付してある。【００２０】  前記ストレッチ帯３は、ヒップアップ効果とともに、下腹部を押圧してスリムに見せるために、ガードル本体１の下腹部に相当する部分に横方向に貼付してある。【００２１】  また前記ストレッチ帯３は、ガードル本体１の臀部側方に相当する部分に縦方向にも貼付してあり、螺旋状に貼付したストレッチ帯３との協同によって臀部の側方への広がりを押圧しヒップアップ効果を更に高めることができる。【００２２】  開口部２は、ガードル本体１の恥丘に相当する部分から股下を通り、臀部に相当する部分にまで大きく開口することで、更に通気性を良くし蒸れを抑止することが出来る。【００２３】  本考案のガードル１、及びストレッチ帯３を構成する伸縮性編地、例えばラッセル、パワーネット、トリコット等の経編機により編成される。伸縮性編地に用いる繊維としては、ポリエステル系繊維、ポリアミド系繊維、アクリル系繊維、ポリウレタン系繊維、レーヨン繊維、アセテート繊維、綿繊維、羊毛繊維、絹繊維など、各種の合成繊維、半合成繊維、天然繊維、またはこれらの混紡、混繊を使用することができる。【００２４】  本考案は、上記実施例に限定されることなく、各種の変形例も実用新案登録請求の範囲に記載された構成の範囲で可能である。
【考案の効果】
【００２５】  本考案は、上記のように構成したので、ヒップアップ効果等による体型を矯正しながら、長時間着用しても女性性器特有の病気の発生を抑制し衛生面で優れたガードルを提供することができる。
【００２６】  また、窮屈なガードルを用便等の度に脱いだり再着しなくても済むため、使用面でも面倒が無く優れた効果を発揮する。
【図面の簡単な説明】
【００２７】
【図１】本考案実施例のガードルの正面図。
【図２】同背面図。
【符号の説明】
【００２８】１  ガードル本体
２  開口部
３  ストレッチ帯
【図１】
0003119057.tif 000003
【図２】
0003119057.tif 000004